【手続補正書】
【提出日】平成17年2月8日(2005.2.8)
【手続補正１】
【補正対象書類名】明細書
【補正対象項目名】発明の名称
【補正方法】変更
【補正の内容】
【発明の名称】移動体通信システム、通信端末、データ転送装置、及びサーバ
【手続補正２】
【補正対象書類名】明細書
【補正対象項目名】特許請求の範囲
【補正方法】変更
【補正の内容】
【特許請求の範囲】
【請求項１】
複数の基地局からの電波を受信する手段を有する端末と、前記端末が所属するホームネットワークと前記端末の移動先となる複数のサブネットワークと、
前記各サブネットワーク内に、当該サブネットワークの情報を前記基地局経由で前記端末に対して広告する広告ルータと、
前記端末の位置情報を管理し、前記端末の移動先サブネットワークで一時的に使用するアドレスとなるルーティングアドレスを登録する手段と、前記端末が移動して前記ルーティングアドレスが登録されている場合に、前記端末のホームネットワークでの宛先となるホームアドレスに届いた前記端末宛てのパケットを捕捉して、登録された前記ルーティングアドレスに従い、前記移動先サブネットワークに転送する手段とを備えたホームエージェント装置を備え、
前記広告ルータは、当該サブネットワーク情報として、ルーティングアドレスのＩｎｔｅｒｆａｃｅ  ＩＤとプレフィックス部とを基地局から広告する手段を備え、
前記端末は、前記サブネットワークに移動している場合に、プレフィックス部が等しくＩｎｔｅｒｆａｃｅ  ＩＤが異なる複数のルーティングアドレスを受信した場合には、前記複数のルーティングアドレスを、１つのルーティングヘッダアドレスに合成し、前記ホームエージェント装置に登録する手段を備える移動体通信システム。
【請求項２】
請求項１記載の移動体通信システムにおいて、
前記サブネットワーク毎に、前記Ｉｎｔｅｒｆａｃｅ  ＩＤに異なる１ビットを割り当て、
前記広告ルータは、サブネットワーク毎に割り当てられたビットを”１”に設定したルーティングアドレスを含んだ前記サブネットワーク情報を送信する手段を備え、
前記端末は、受信した複数の前記サブネットワーク情報に含まれるルーティングアドレスのプレフィックス部が一致する場合に、受信した前記複数のサブネットワーク情報に含まれるルーティングアドレスのＩｎｔｅｒｆａｃｅ  ＩＤの論理和を計算し、演算結果を前記合成されたルーティングヘッダアドレスとする手段を備える移動体通信システム。
【請求項３】
請求項２記載の移動体通信システムにおいて、
前記ホームエージェント装置は、
前記端末から送られてきた気付けアドレスと、前記ルーティングヘッダアドレスと、前記端末のホームアドレスとの組み合わせを記憶する手段と、
前記端末のホームアドレス宛てに送られてきたパケットのルーティングヘッダアドレスとして、前記気付けアドレスを設定する手段と、
前記気付けアドレスを設定したパケットをカプセル化し、受信先アドレスとして前記ルーティングヘッダアドレスを設定する手段と、
前記カプセル化したパケットを送出する手段を備える移動体通信システム。
【請求項４】
請求項１記載の移動体通信システムにおいて、
前記移動体通信ネットワーク内のルータは、
前記ホームエージェント装置から届いた前記ルーティングヘッダアドレスが受信先アドレスに設定されたパケットで、Ｉｎｔｅｒｆａｃｅ  ＩＤの複数ビットに”１”が設定されているパケットから、Ｉｎｔｅｒｆａｃｅ  ＩＤのいずれか１ビットが”１”に設定された受信先アドレスを持つパケットを生成して送信する手段、または、
前記広告ルータが広告しているサブネットワーク情報のルーティングアドレスと同じプレフィックスを受信先アドレスとするパケットを、Ｉｎｔｅｒｆａｃｅ  ＩＤのいずれか１ビットが”１”に設定されているアドレスを広告している前記広告ルータまで転送されるように設定されているルーティングテーブルを備える移動体通信システム。
【請求項５】
請求項１に記載の移動体通信システムにおいて、
前記広告ルータが広告しているサブネットワーク情報のプレフィックス部の一部を、サブネットワーク指示ビットとして、サブネットワーク毎に異なる１ビットを割り当て、
前記サブネットワーク内の基地局は、割り当てられたビットを”１”に設定したサブネットワーク情報を送信する手段を備え、
前記端末は、受信した複数のサブネットワーク情報のプレフィックス部の、前記サブネットワーク指示ビット部を除いた部分が一致する場合に、受信した前記複数のサブネットワーク情報のプレフィックス部の論理和を計算し、演算結果をプレフィックス部とする気付けアドレスを生成してホームエージェント装置に登録する手段を備え、
移動体通信ネットワーク内のルータは、転送するパケットの受信先アドレスの前記サブネットワーク指示ビットが複数”１”に設定されている場合は、前記サブネットワーク指示部のいずれか１ビットが”１”に設定されているアドレスをサブネットワーク情報のプレフィックス部として広告している広告ルータまで転送されるように設定されているルーティングテーブルを備える移動体通信システム。
【請求項６】
請求項１記載の移動体通信システムにおいて、
当該移動体通信ネットワーク内において前記パケットを転送するルータを複数備え、
各サブネットワーク内の前記広告ルータは、当該サブネットワーク内にパケットを転送するための主サブネットワーク情報と、副サブネットワーク情報を含むサブネットワーク情報を広告する手段を備え、
前記端末は、一つの基地局から前記サブネットワーク情報を受信している場合には、前記主サブネットワーク情報に基づいて気付けアドレスを生成する手段と、複数の基地局から前記サブネットワーク情報を受信しており、受信した複数の前記副サブネットワーク情報のプレフィックス部が等しい場合には、当該プレフィックス部に基づいて気付アドレスを生成する手段と、前記生成した気付けアドレスを前記ホームエージェント装置に送信する手段とを備え、
前記パケットを転送するルータは、前記副サブネットワーク情報のプレフィックス部を持つパケットを、当該副サブネットワーク情報を送信している各基地局までマルチキャストルーティングされるように設定されたルーティングテーブルを備える、移動体通信システム。
【請求項７】
請求項４または請求項５または請求項６に記載の移動体通信システムにおいて、
端末は複数の気付けアドレス宛てパケットを受信処理する手段を備える移動体通信システム。
【請求項８】
請求項５記載の移動体通信システムは、
当該移動体通信ネットワーク内において前記パケットを転送するルータを複数備え、
前記ルータのいずれかは、他のルータから受信したルーティング情報と自ルータのルーティング情報に基づいてルーティングテーブルを作成し、他のルータ間でルーティング情報を交換する手段と、
自ルータが持つ、あるいは他のルータから受信したルーティング情報と、前記広告ルータが広告している複数のサブネットワーク情報のプレフィックス部からサブネットワーク指示部を除いた部分とが一致する場合、一致する複数のサブネットワーク情報のプレフィックス部の論理和の計算結果を前記ルーティングテーブルに追加する手段を備える移動体通信システム。
【請求項９】
第一のアドレスを含むデータを第一のルータから受信し、第二のアドレスを含むデータを第二のルータから受信し、第三のアドレスを含むデータを送信する送受信部と、
上記第一のアドレスの一部又は全部と、上記第二のアドレスの一部又は全部とから上記第三のアドレスを作成する制御部を有する通信端末。
【請求項１０】
請求項９記載の通信端末であって、
上記制御部は、上記第一のアドレスの一部又は全部と、上記第二のアドレスの一部又は全部との論理和を計算し、該計算結果をアドレスの一部又は全部として上記第三のアドレスを作成することを特徴とする通信端末。
【請求項１１】
値が１のビットを所定領域内に複数含む第一のアドレスを送信先アドレスとするデータを受信し、第二のアドレスを送信先とするデータを第一のデータ転送装置に送信し、第三のアドレスを送信先とするデータを第二のデータ転送装置に送信する送受信部と、
上記第一のアドレスに含まれるビットのうち、第一のビット以外の上記所定領域内にあるビットを０に変換したものを第二のアドレスとし、上記第一のアドレスに含まれるビットのうち、第二のビット以外の上記所定領域内にあるビットを０に変換したものを第三のアドレスとする制御部とを有するデータ転送装置。
【請求項１２】
請求項１１記載のデータ転送装置であって、
上記第二のアドレスの上記所定領域と、上記第三のアドレスの上記所定領域の論理和が上記第一のアドレスの上記所定領域になっていることを特徴とするデータ転送装置。
【請求項１３】
端末並びに第一及び第二のデータ転送装置に接続されたサーバであって、
上記第一のデータ転送装置から上記端末が受信した第一のアドレスと、上記第二のデータ転送装置から上記端末が受信した第二のアドレスとから作成された第三のアドレスを含むデータを上記端末から受信する送受信部と、
上記端末のホームアドレスと気付けアドレスと上記第三のアドレスがお互いに対応付けて記憶された記憶部を有するサーバ。
【請求項１４】
請求項１４記載のサーバであって、上記端末のホームエージェントであることを特徴とするサーバ。
【請求項１５】
請求項１３または１４に記載のサーバであって、
上記第三の所定領域は、上記第一のアドレスの所定領域と上記第二のアドレスの所定領域との論理和であることを特徴とするサーバ。